(57)【要約】【課題】電線の反力によってプロテクタ本体部からカバー部が外れることを抑制する。【解決手段】コネクタハウジング４０に設けられた電線引出部４７から後方に引き出される電線Ｗを右方向に屈曲させて導出するプロテクタ８０であって、電線引出部４７の位置から右方向に屈曲して設けられたプロテクタ本体部８３と、プロテクタ本体部８３に組み付けることにより、電線Ｗを右方向に屈曲させて収容する収容部８１をプロテクタ本体部８３と共に構成するカバー部８４とを備え、電線引出部４７の後方位置には、プロテクタ本体部８３とカバー部８４とを連結する一対のヒンジ９０が設けられており、プロテクタ本体部８３には、左右方向に弾性変位してカバー部８４に設けられた係止片９２に上方から係止することにより、プロテクタ本体部８３とカバー部８４とを組み付けた状態に保持する係止枠９４が設けられているところに特徴を有する。【選択図】図６
2014195380.tif 000002
【特許請求の範囲】
【請求項１】
コネクタハウジングに設けられた電線引出部から引き出される電線を同電線の引出方向と交差する方向に屈曲させて導出するプロテクタであって、
前記電線引出部の位置から前記電線の導出方向に屈曲して設けられたプロテクタ本体部と、
前記プロテクタ本体部に組み付けることにより、前記電線の導出方向に前記電線を屈曲させて収容する筒状の収容部を前記プロテクタ本体部と共に構成するカバー部とを備え、
前記収容部には、前記プロテクタ本体部と前記カバー部とを連結するヒンジが設けられ、このヒンジは前記収容部において前記電線引出部と前記電線の引出方向に対向する部分から前記電線の導出方向に沿って配されており、
前記プロテクタ本体部と前記カバー部の何れか一方には、前記電線の引出方向と交差する方向に弾性変位して、他方に設けられた被係止部に係止することにより、前記プロテクタ本体部と前記カバー部とを組み付けた状態に保持する係止部が設けられているプロテクタ。
【請求項２】
前記係止部および前記被係止部は、前記プロテクタ本体部および前記カバー部において前記電線引出部の外側に設けられている請求項１記載のプロテクタ。
【請求項３】
前記電線引出部からは前記電線が複数引き出されており、
前記プロテクタ本体部は、前記カバー部との組み付け方向に開口した凹状に形成され、前記カバー部は板状に形成されており、
前記プロテクタ本体部の深さ寸法は、前記電線引出部から引き出された前記電線の全てを収容可能な大きさに設定されている請求項１または請求項２記載のプロテクタ。
【発明の詳細な説明】
【技術分野】
【０００１】
本発明は、コネクタに装着されるプロテクタに関する。
【背景技術】
【０００２】
従来、電線が引き出されたコネクタハウジングの電線引出部に装着されるプロテクタとして、下記特許文献１に記載のものが知られている。
このプロテクタは、電線引出部から引き出された電線を略直角に屈曲させて導く筒状の収容部を有している。この収容部は、Ｌ字状の一対の半割体からなり、一方の半割体であるプロテクタ本体部に他方の半割体であるカバー部を組み付け、カバー部に設けられた被係止部とプロテクタ本体部に設けられた係止部とを係止させることで、筒状に保持されるようになっている。
【先行技術文献】
【特許文献】
【０００３】
【特許文献１】特開平１１−８９０４６号公報
【発明の概要】
【発明が解決しようとする課題】
【０００４】
ところで、上記のプロテクタは、電線引出部と電線の引出方向に対向するプロテクタ本体部およびカバー部の壁部に係止片および被係止部が設けられているため、電線が大径化するなどして、電線の曲げ剛性が大きくなると、屈曲させた電線の反力によってプロテクタ本体部やカバー部が撓み、係止部と被係止部との係止が解除されてプロテクタ本体部からカバー部が外れてしまう虞がある。
【０００５】
本発明は上記のような事情に基づいて完成されたものであって、電線の反力によってプロテクタ本体部からカバー部が外れることを抑制することを目的とする。
【課題を解決するための手段】
【０００６】
上記の目的を達成するための手段として本発明は、コネクタハウジングに設けられた電線引出部から引き出される電線を同電線の引出方向と交差する方向に屈曲させて導出するプロテクタであって、前記電線引出部の位置から前記電線の導出方向に屈曲して設けられたプロテクタ本体部と、前記プロテクタ本体部に組み付けることにより、前記電線を導出方向に屈曲させて収容する筒状の収容部を前記プロテクタ本体部と共に構成するカバー部とを備え、前記収容部には、前記プロテクタ本体部と前記カバー部とを連結するヒンジが設けられ、このヒンジは前記収容部において前記電線の引出方向に前記電線引出部と対向する部分から前記電線の導出方向に沿って配されており、前記プロテクタ本体部と前記カバー部とを連結するヒンジが設けられており、前記プロテクタ本体部と前記カバー部の何れか一方には、前記電線の引出方向と交差する方向に弾性変位して、他方に設けられた被係止部に係止することにより、前記プロテクタ本体部と前記カバー部とを組み付けた状態に保持する係止部が設けられているところに特徴を有する。
【０００７】
このような構成のプロテクタによると、電線の反力（屈曲された電線が元に戻ろうとする力）が働く方向と交差する方向に係止部が弾性変位するから、プロテクタ本体部やカバー部が屈曲された電線の反力によって電線の引出方向に弾性変形したとしても、被係止部と係止部との係止代が小さくなることを防ぐことができ、プロテクタ本体部からカバー部が外れてしまうことを抑制することができる。
また、収容部において、電線の引出方向に電線引出部と対向する部分から電線の導出方向に沿って延びる領域は、屈曲された電線の反力が最も働くことになるが、この領域にはヒンジが電線の導出方向に沿って設けられているから、電線の反力によってプロテクタ本体部とカバー部とを合わせた部分が開いてプロテクタ本体部からカバー部が外れてしまうことを確実に防止することができる。
【０００８】
本発明の実施の態様として、以下の構成が好ましい。
前記係止部および前記被係止部は、前記プロテクタ本体部および前記カバー部において前記電線引出部の外側に設けられている構成としてもよい。
このような構成によると、プロテクタ本体部やカバー部が仮に屈曲された電線の反力によって弾性変形したとしても、プロテクタ本体部やカバー部において電線の反力を受ける位置と対向する電線引出部の外側に係止部と被係止部とが設けられているから、係止部と被係止部とに与える影響を低減させることができる。これにより、電線の反力を受けるヒンジの周辺に係止部と被係止部とが設けられている場合に比べて、係止部と被係止部との係止力が低下することを抑制することができる。
また、電線引出部から電線を突出させるスペースを大きく取ることができない場合、ヒンジの周辺に係止部および被係止部を設けると、係止部および被係止部を設けた分だけ収容部の内部空間を小さくする必要がある。そうすると、収容部内において電線がより窮屈な状態となり、屈曲された電線が収容部を押圧する力がさらに大きくなってしまう。
ところが、上記の構成によると、係止部および被係止部が電線引出部の外側に設けられているから、電線引出部から電線を突出させるスペースを大きく確保することができない場合にも、非常に有効である。
【０００９】
前記電線引出部からは前記電線が複数引き出されており、前記プロテクタ本体部は、前記カバー部との組み付け方向に開口した凹状に形成され、前記カバー部は板状に形成されており、前記プロテクタ本体部の深さ寸法は、前記電線引出部から引き出された前記電線の全てを収容可能な大きさに設定されている構成としてもよい。
このような構成によると、凹状のプロテクタ本体部内に複数の電線を全て配置して、板状のカバー部によって蓋をするようにして電線を収容部に収容することができ、電線の反力を本体部のみで受けることができる。これにより、一対の半割体からなるプロテクタ本体部とカバー部に比べて、電線の反力によって組み付け位置を起点にプロテクタ本体部とカバー部とが開いて外れてしまうことを抑制することができる。
また、一対の半割体からなるプロテクタ本体部とカバー部では、プロテクタ本体部にカバー部を組み付ける際に、電線を挟み込むなど組み付け作業の作業効率が低下する虞がある。ところが、上記の構成によると、プロテクタ本体部内に電線を屈曲させて配置してから、カバー部によってプロテクタ本体部を塞ぐようにして収容部を構成できるので、プロテクタ本体部とカバーとの間での電線の挟み込みを防ぎ、プロテクタ本体部に対するカバー部の組み付け作業を容易に行うことができる。
【発明の効果】
【００１０】
本発明によれば、電線の反力によってプロテクタ本体部からカバー部が外れることを抑制することができる。
【図面の簡単な説明】
【００１１】
【図１】プロテクタ付きシールドコネクタの斜視図
【図２】同正面図
【図３】同平面図
【図４】同底面図
【図５】同背面図
【図６】同側面図
【図７】図２におけるＡ−Ａ線断面図
【図８】図２におけるＢ−Ｂ線断面図
【図９】プロテクタ付きシールドコネクタをケースに固定した状態を示す一部切欠平面図
【図１０】プロテクタのカバー部が開いた状態を斜め前方から視た斜視図
【図１１】シールドブラケットにプロテクタを装着する前の状態を示す斜視図
【図１２】プロテクタのカバー部が開いた状態を斜め後方から視た斜視図
【図１３】プロテクタのカバー部が開いた状態を示す平面図
【図１４】同側面図
【図１５】プロテクタ付きシールドコネクタの分解斜視図
【図１６】カバー部が開いた状態のプロテクタの正面図
【図１７】同平面図
【図１８】同側面図
【図１９】シールドブラケットの平面図
【図２０】同背面図
【図２１】同側面図
【発明を実施するための形態】
【００１２】
＜実施形態＞
本発明の実施形態について図１乃至図２１を参照して説明する。
本実施形態は、機器Ｍに設けられた機器側コネクタＭＣに嵌合され、機器Ｍが収容された金属製のケースＣに固定されるプロテクタ付きシールドコネクタ１０を例示している。なお、以下の説明において、上下方向とは図２における上下方向を基準とし、左右方向とは図２における左右方向を基準とし、前後方向とは図３における機器側コネクタＭＣとの嵌合方向を前方として説明する。
【００１３】
プロテクタ付きシールドコネクタ１０は、図７乃至図９に示すように、ケースＣに設けられた貫通孔Ｃ１に挿入されて機器側コネクタＭＣの機器側ハウジングＭＣ１に嵌合される合成樹脂製のコネクタハウジング４０と、電線Ｗの端末に接続されてコネクタハウジング４０内に収容される一対の雌端子２０と、貫通孔Ｃ１から露出するコネクタハウジング４０の外周面を覆った形態でケースＣに電気的に接続されて固定される金属製のシールドブラケット６０と、コネクタハウジング４０から引き出された電線Ｗを屈曲させて導出する合成樹脂製のプロテクタ８０とを備えて構成されている。
【００１４】
機器側コネクタＭＣは、図９に示すように、フード状をなす機器側ハウジングＭＣ１を有しており、機器側ハウジングＭＣ１の奥壁には、板状の雄端子（図示せず）が一対突出して設けられている。
【００１５】
雌端子２０は、図７、図８および図１５に示すように、機器側コネクタＭＣの雄端子に接続される角筒部２１と、角筒部２１の後方に連なって設けられた電線接続部２２とを備えて構成されている。角筒部２１の内部には、前方から角筒部２１内に挿入された雄端子に弾性的に接触する弾性接触片２３が設けられており、雄端子と弾性接触片２３とが弾性的に接触することで、雄端子と雌端子２０とが電気的に接続されるようになっている。
電線接続部２２は、角筒部２１と共通して設けられた底板２４の両側縁から延出された一対のバレル片２５を有しており、一対のバレル片２５が電線Ｗの端末に露出された芯線Ｗ１にかしめ圧着されることで、電線Ｗの端末に雌端子２０が接続されている。
【００１６】
コネクタハウジング４０は、図７、図８および図１５に示すように、左右方向に扁平で前後方向に長いブロック状をなしている。コネクタハウジング４０の内部には、複数（本実施形態では３つ）のキャビティ４１が左右方向に並んで形成されており、右端のキャビティ４１はショート端子Ｔを前方から収容するショート端子用キャビティ４２とされ、右端のキャビティ４１以外のキャビティ４１は、雌端子２０を後方から収容する雌端子用キャビティ４３とされている。
【００１７】
ショート端子用キャビティ４２は、コネクタハウジング４０の前後方向略中央部よりもやや前寄りの位置にショート端子Ｔを収容して固定する端子固定部４４が設けられている。また、ショート端子用キャビティ４２には、端子固定部４４に固定されたショート端子Ｔに設けられた一対のショートピンＴ１にそれぞれ接続された中継端子Ｔ２が収容され、中継端子Ｔ２の前方には中継端子Ｔ２を抜け止めする端子ホルダ４５が装着されている。中継端子Ｔ２は、コネクタハウジング４０と機器側ハウジングＭＣ１とが嵌合されると、機器側ハウジングＭＣ１内のインターロック回路に設けられた一対のインターロック端子（図示せず）に接続されるようになっている。
【００１８】
雌端子用キャビティ４３は、前後方向に貫通して形成されている。雌端子用キャビティ４３の内壁には、雌端子２０の角筒部２１を後方から係止するランス４６が設けられており、このランス４６は、雌端子２０の角筒部２１に設けられたランス孔２６に嵌まり込むことで雌端子用キャビティ４３内に雌端子２０を保持している。そして、機器側ハウジングＭＣ１とコネクタハウジング４０とが正規に嵌合されると、雌端子用キャビティ４３の前端開口から雄端子が進入し、雄端子と雌端子２０とが電気的に接続される。
【００１９】
コネクタハウジング４０の後部は、雌端子２０に接続された電線Ｗが後方に引き出される電線引出部４７とされ、電線引出部４７からは、複数（本実施形態では二本）の電線Ｗが後方に引き出されている。
電線引出部４７の外周には、シールドブラケット６０が装着されるようになっている。シールドブラケット６０は、図１５、図１９乃至図２１に示すように、導電性を有する金属板材を絞り加工などを施すことによって形成されており、電線引出部４７を全周に亘って覆う左右方向に横長な長円形状の筒部６１と、ケースＣにおける貫通孔Ｃ１の開口縁部に固定される板状の固定部６２とを備えて構成されている。
【００２０】
筒部６１は、図７および図８に示すように、前後方向に貫通した形態をなしており、電線引出部４７の後方から組み付け可能とされている。また、筒部６１は、電線引出部４７における上下左右の外面に設けられた複数の前止まり片４８によって前端開口縁が前方から係止され、電線引出部４７の上下両側に設けられたロック片４９の係止部４９Ａによって後端開口縁が後方から係止されることで、電線引出部４７の外周に装着される。これにより、シールドブラケット６０とコネクタハウジング４０とが互いに前後方向にずれることなく固定される。
【００２１】
筒部６１の外周面には、図７、図８および図１３に示すように、電線引出部４７から引き出された複数の電線Ｗを一括して覆う編組線Ｓの端末が後方から外嵌され、その外周に長円形状のかしめリングＲを圧着することで、筒部６１に編組線Ｓが電気的に接続されるようになっている。このため、電線引出部４７と電線引出部４７から後方に引き出された複数の電線Ｗとは、筒部６１と編組線Ｓによって完全に覆われた状態となっている。
【００２２】
固定部６２は、図２０に示すように、筒部６１の前端開口縁から径方向外側に張り出す形態で筒部６１と一体に形成されており、固定部６２の前面は、図９、図１９および図２１に示すように、ケースＣの外面Ｃ２に面接触する接触面６３とされている。また、固定部６２の上縁部は、山形状に張り出しており、この山形状に張り出した部分にナット６５が装着されたナット装着部６４が設けられている。ナット装着部６４は、図８に示すように、接触面６３よりも一段後退した位置に配されており、ナット装着部６４の後方からナット６５が装着されている。
【００２３】
ナット６５は、ナット装着部６４に設けられた挿通孔６４Ａに後方から挿通され、ナット６５の外周面に設けられたフランジ部６６とナット６５の前端部に装着されたＣリング６７とによって挿通孔６４Ａの開口縁を前後方向から挟み込むことでナット装着部６４に装着されている。なお、ナット装着部６４が接触面６３よりも一段後退した位置に配されているため、ナット６５の前端部とＣリング６７とは、固定部６２の接触面６３よりも後方に配された状態となっている。
【００２４】
そして、シールドブラケット６０をケースＣに固定する際には、コネクタハウジング４０をケースＣの貫通孔Ｃ１に挿入してケースＣのボルトＢＴにナット６５を螺合させて締め込み、固定部６２の接触面６３がケースＣの外面Ｃ２に面接触して締め込みが停止したところで、固定部６２がケースＣに固定されて電気的に接続される。また、シールドブラケット６０がケースＣに固定されると、機器側ハウジングＭＣ１とコネクタハウジング４０とが正規嵌合して雄端子と雌端子２０とが電気的に接続され、これとほぼ同時にショート端子Ｔとインターロック端子とが接続される。
【００２５】
固定部６２の外周縁には、図２０および図２１に示すように、径方向外側に突出する複数（本実施形態では三つ）の嵌合片６８が設けられている。これらの嵌合片６８は、固定部６２の左右両端縁を含む略下半分の領域（固定部６２の一側）に均等に配されるように固定部６２の下縁および固定部６２の左右両端縁にそれぞれ設けられており、嵌合片６８の先端部は、図７および図８に示すように、固定部６２の接触面６３よりも後側（筒部６１側）に一段後退した形態とされている。詳細には、各嵌合片６８は、固定部６２から径方向外側に僅かに延びた後、後側に僅かに延びて、さらに径方向外側に突出した形態をなしており、嵌合片６８の先端部は、図２０に示すように、正面視略矩形板状をなしている。
【００２６】
プロテクタ８０は、図３、図７および図８に示すように、略Ｌ字状をなし、シールドブラケット６０の筒部６１と共に電線引出部４７から後方に引き出された電線Ｗを収容してシールドブラケット６０の固定部６２に固定される収容部８１と、収容部８１の右側端部に設けられたグロメット装着部８２を備えて構成されている。
【００２７】
グロメット装着部８２は、図１１に示すように、上方に開口した断面半円形の凹状をなし、図２乃至図６に示すように、収容部８１から導出された複数の電線Ｗを一括して収容するグロメットＧが上方から載置されて、例えばテープなどによって固定されるようになっている。
【００２８】
収容部８１は、図７に示すように、前方と右方に開口した筒状に形成されており、収容部８１の前後方向略中央部よりも前側部分にはシールドブラケット６０の筒部６１が収容され、後側部分には電線引出部４７から後方に引き出された電線Ｗが電線Ｗの引出方向と交差する右方向に略直角に屈曲されて収容されている。また、収容部８１は、略Ｌ字状に屈曲して形成されたプロテクタ本体部８３と、プロテクタ本体部８３に上方から組み付け可能なカバー部８４とを備えて構成されている。
【００２９】
プロテクタ本体部８３は、図１０乃至図１５に示すように、カバー部８４との組み付け方向である上方に開口した凹状に形成されており、図１および図８に示すように、プロテクタ本体部８３にカバー部８４を上方から組み付けてプロテクタ本体部８３の上端開口をカバー部８４で塞ぐことで、プロテクタ本体部８３とカバー部８４とによって収容部８１が構成されるようになっている。
また、プロテクタ本体部８３は、上方以外に前方および右方に開口した形態をなしており、図１１および図１８に示すように、前側の開口縁部がシールドブラケット６０の筒部６１を上方から収容する断面略Ｕ字状のブラケット収容凹部８５とされ、右側の開口縁部が電線Ｗをグロメット装着部８２側に導出させる部分とされている。
【００３０】
プロテクタ本体部８３の深さ寸法は、図８に示すように、シールドブラケット６０における筒部６１の上下方向（短辺方向）の高さ寸法よりも大きく設定されており、ブラケット収容凹部８５に筒部６１が上方から収容されると、筒部６１と共に電線引出部４７から引き出された全ての電線Ｗがプロテクタ本体部８３の上端開口から上方にはみ出すことなく収容されるようになっている。つまり、プロテクタ本体部８３内に全ての電線Ｗを収容して、板状のカバー部８４によってプロテクタ本体部８３に蓋をするだけで収容部８１内に筒部６１と全ての電線Ｗを容易に配置することができるようになっている。
【００３１】
ブラケット収容凹部８５の前端開口には、図１５乃至図１７に示すように、シールドブラケット６０の固定部６２における嵌合片６８が上方から内部に嵌合される被嵌合凹部８７が設けられている。被嵌合凹部８７は、嵌合片６８と対応する位置である下端縁と左右両端縁との計三箇所に径方向外側に張り出して設けられており、被嵌合凹部８７内に嵌合片６８の先端部が上方から嵌合されることで、図７および図８に示すように、ブラケット収容凹部８５内に筒部６１が位置決めされて収容されるようになっている。
【００３２】
各被嵌合凹部８７は、図３、図８および図９に示すように、嵌合片６８を囲む左右方向に横長な囲壁８８を有しており、囲壁８８の板厚寸法は、固定部６２の接触面６３から嵌合片６８の先端部が後退した寸法Ｌよりも僅かに小さく形成されている。
左右に配された被嵌合凹部８７の囲壁８８は、図１５および図１７に示すように、ブラケット収容凹部８５の外側面から外側に延びた後、前側に折り曲げられて、さらにブラケット収容凹部８５に向かって折り返された形態をなしており、囲壁８８の下端部には、囲壁８８を補強する底壁８９が囲壁８８の下端部を塞ぐように連設されている。囲壁８８の内側には、左右に配された嵌合片６８の先端部が上方からそれぞれ嵌合されるようになっており、嵌合片６８と被嵌合凹部８７とが正規の嵌合状態に至ると、図２に示すように、嵌合片６８の下端部が底壁８９に当接するように設定されている。
【００３３】
下側に配された被嵌合凹部８７の囲壁８８は、図１７に示すように、上下方向に貫通する筒状をなしており、左右の被嵌合凹部８７に嵌合片６８が嵌合されるのとほぼ同時に固定部６２の下側に配された嵌合片６８の先端部が嵌合されるようになっている。そして、左右の被嵌合凹部８７と嵌合片６８とが正規の嵌合状態に至ると、図８に示すように、下側の被嵌合凹部８７も嵌合片６８と正規の嵌合状態に至り、図２に示すように、下側の被嵌合凹部８７における囲壁８８の上端縁と固定部６２の下端縁とが当接するように設定されている。
【００３４】
プロテクタ本体部８３の上端開口における後端縁には、図１０乃至図１５に示すように、カバー部８４が一対のヒンジ９０を介して連結されている。一対のヒンジ９０は、プロテクタ本体部８３の後端縁において左右方向略中央部を除くほぼ全域を連結するように左右両側に設けられており、カバー部８４は、これらのヒンジ９０を支点に回動してプロテクタ本体部８３の上方から組み付け可能とされている。
【００３５】
カバー部８４は、板状のカバー本体９１と、カバー本体９１の左右両端縁に設けられた一対の係止片（被係止部）９２とを備えて構成されている。
カバー本体９１は、プロテクタ本体部８３の上端開口を上方から塞ぐ形態とされており、シールドブラケット６０の筒部６１をブラケット収容凹部８５内に収容してカバー本体９１によってプロテクタ本体部８３の上端開口を塞ぐと、図８に示すように、筒部６１が全周に亘って収容部８１に覆われるようになっている。
【００３６】
すなわち、固定部６２の嵌合片６８をプロテクタ本体部８３の被嵌合凹部８７に嵌合させて、ブラケット収容凹部８５内に筒部６１を収容することで、図７に示すように、シールドブラケット６０に対してプロテクタ本体部８３が前後方向に位置ずれすることなく固定され、プロテクタ本体部８３に対してカバー本体９１を組み付けることで、図８に示すように、筒部６１が収容部８１に覆われて、ブラケット収容凹部８５から筒部６１が上方に外れないように固定されるようになっている。
【００３７】
また、カバー本体９１は、その後端縁が一対のヒンジ９０によってプロテクタ本体部８３と連結されており、電線引出部４７を覆う筒部６１がブラケット収容凹部８５内に収容されると、一対のヒンジ９０は、図８に示すように、プロテクタ本体部８３の後側（電線Ｗの引出方向に電線引出部４７と対向する側）で、かつ電線Ｗの導出方向（プロテクタ本体部８３からグロメット装着部８２側に電線Ｗが導出された方向）に沿って配された状態となる。
【００３８】
一対の係止片９２は、図１に示すように、ブラケット収容凹部８５と対応する部分の左右両端縁から下方に向かって延出された板状に設けられており、カバー本体９１がプロテクタ本体部８３に組み付けられると、図４および図７に示すように、ブラケット収容凹部８５の外側面に沿って配されるように設定されている。
【００３９】
各係止片９２の先端部における外側面には、図１０乃至図１５に示すように、係止爪９３が設けられており、係止爪９３は、係止片９２の外側面から上方に向かうほど外側に向かって傾斜して、その後端縁から係止片９２に向かって延びて係止片９２の外側面と直交する被係止面９３Ａを有する形態とされている。
【００４０】
一方、ブラケット収容凹部８５の左右両外側面には、カバー部８４の係止片９２と対応する位置に係止片９２と係止可能な係止枠９４が設けられている。
係止枠９４は、ブラケット収容凹部８５の外側面に沿って前後方向に延びる長辺枠部９５と、長辺枠部９５の前後両端からブラケット収容凹部８５の外側面に向かって延びる一対の短辺枠部９６と、長辺枠部９５の下端縁に設けられた係止突起９８とからなり、短辺枠部９６における長辺枠部９５とは反対側の端部がブラケット収容凹部８５の外側面に連結されることで、係止枠９４とブラケット収容凹部８５とによって上下方向に貫通する係止孔９７が構成されている。
【００４１】
係止孔９７は、図６に示すように、ブラケット収容凹部８５の側面に沿うように前後方向に長い略矩形状をなし、上方からカバー部８４の係止片９２が挿通可能とされている。また、係止孔９７の前後方向の長さ寸法はカバー部８４の係止片９２の前後方向の長さ寸法よりもやや大きめに形成されている。これにより、カバー部８４がヒンジ９０を支点に回動して係止片９２が円弧状の軌跡を描きつつ係止孔９７に挿通される際に、係止片９２と係止枠９４とが干渉しないようになっている。
【００４２】
前側に配された短辺枠部９６の下端部は、図６、図１１、図１２および図１４に示すように、左右に配された被嵌合凹部８７の囲壁８８の上端部に連なっており、係止枠９４と被嵌合凹部８７とが互いに補強する関係となっている。
【００４３】
係止突起９８は、図１０乃至図１２に示すように、左右方向外側(電線Ｗの引出方向と交差する方向）に弾性変位可能に設けられている。また、係止突起９８は、長辺枠部９５から下方に向かうほどブラケット収容凹部８５の外側面に向かって傾斜した形態をなしており、図１３乃至図１７に示すように、係止突起９８の下端部が係止孔９７における係止片９２の進入経路内にやや突出している。
【００４４】
したがって、係止孔９７内に係止片９２が挿入されると係止片９２の係止爪９３と係止突起９８とが干渉し、係止爪９３によって押圧されることで係止突起９８が外方に弾性変位する。
そして、係止孔９７内に係止片９２が正規の位置まで挿入されると、係止爪９３と係止突起９８との干渉が解除され、図６に示すように、係止爪９３の被係止面９３Ａが係止突起９８によって上方から係止される。これにより、係止片９２が係止孔９７内に抜け止めされ、プロテクタ本体部８３にカバー部８４が組み付けられた状態に固定されることで、プロテクタ８０がシールドブラケット６０から外れることなく固定されている。
【００４５】
本実施形態のプロテクタ付きシールドコネクタ１０は以上のような構成であって、続いて、プロテクタ付きシールドコネクタ１０の組み付け方法を簡単に説明すると共に、その作用効果を説明する。
まず、シールドブラケット６０の筒部６１内に前方からコネクタハウジング４０の電線引出部４７を挿入し、前止まり片４８とロック片４９とによって筒部６１が前後方向から係止されることで、コネクタハウジング４０にシールドブラケット６０が装着される。
【００４６】
次に、雌端子用キャビティ４３の後端開口から電線Ｗの端末に接続された雌端子２０を挿入し、ランス４６によって雌端子２０が後方から係止されることで雌端子２０が雌端子用キャビティ４３内に保持される。また、ショート端子用キャビティ４２にショート端子Ｔと中継端子Ｔ２とが前方から挿入され、端子ホルダ４５によってショート端子Ｔと中継端子Ｔ２とがショート端子用キャビティ４２に抜け止めされる。
【００４７】
次に、電線Ｗを一括して覆った編組線Ｓの端末を筒部６１の外周面に外嵌し、更にその外周にかしめリングＲを圧着することで、電線引出部４７と電線引出部４７から後方に引き出された複数の電線Ｗとが筒部６１と編組線Ｓによって完全に覆われる。
【００４８】
次に、カバー部８４が開いたプロテクタ８０を用意し、図１１に示すように、プロテクタ本体部８３に対してシールドブラケット６０を上方から組み付ける。
詳細には、図１２乃至図１４に示すように、プロテクタ本体部８３の各被嵌合凹部８７に固定部６２の嵌合片６８を上方からそれぞれ嵌合させ、左右の被嵌合凹部８７における底壁８９に嵌合片６８の下端縁が当接することでそれぞれの嵌合片６８と被嵌合凹部８７とが正規の嵌合状態に至る。つまり、囲壁８８を補強する底壁８９を、嵌合片６８と被嵌合凹部８７とが正規の嵌合状態に至ったことを確認する嵌合検知機能として兼用することができる。これにより、別途嵌合検知機能を設けずにシールドブラケット６０に対してプロテクタ８０を取り付ける作業効率を向上させることができる。また、これと同時に下側の被嵌合凹部８７に下側の嵌合片６８が嵌合され、下側の被嵌合凹部８７における囲壁８８の上端縁と固定部６２の下端縁とが当接する。
【００４９】
また、嵌合片６８と被嵌合凹部８７とが正規の嵌合状態に至ると、プロテクタ本体部８３のブラケット収容凹部８５内に筒部６１が位置決めされた状態で収容される。そして、電線引出部４７から引き出された電線Ｗを右方向に略直角に屈曲させてプロテクタ本体部８３内に配置する。
【００５０】
最後に、プロテクタ８０の一対のヒンジ９０を支点にカバー部８４を回動させて、プロテクタ本体部８３の上方からカバー部８４をプロテクタ本体部８３に組み付けることで、プロテクタ付きシールドコネクタ１０を完成させる。
詳細には、カバー部８４のカバー本体９１をプロテクタ本体部８３の上端開口を塞ぐように組み付け、カバー部８４の一対の係止片９２をプロテクタ本体部８３の係止孔９７に挿入する。この挿入過程において、係止片９２の係止爪９３が係止枠９４の係止突起９８と干渉して係止突起９８が左右方向外側に弾性変位し、係止片９２が係止枠９４に対して正規の位置まで挿入されると係止爪９３と係止突起９８との干渉状態が解除され、係止爪９３の被係止面９３Ａが係止突起９８によって上方から係止される。これにより、係止片９２が係止孔９７内に抜け止めされて、プロテクタ本体部８３にカバー部８４が組み付けられた状態に固定される。
【００５１】
すなわち、本実施形態によると、プロテクタ本体部８３とカバー部８４とを組み付けてプロテクタ本体部８３の上端開口をカバー部８４によって上方から塞ぐ際に、固定部６２の下側外周縁の三箇所に均等に配した嵌合片６８とプロテクタ８０の被嵌合凹部８７とを上下方向に嵌合させることで、図２、図７および図８に示すように、プロテクタ８０をシールドブラケット６０に対してバランスよく容易にかつ強固に固定することができる。
【００５２】
次に、プロテクタ付きシールドコネクタ１０を機器ＭのケースＣに固定する際には、コネクタハウジング４０の前部をケースＣの貫通孔Ｃ１に挿入して、ケースＣのボルトＢＴにシールドブラケット６０のナット装着部６４におけるナット６５を螺合させて締め込み、固定部６２の接触面６３がケースＣの外面Ｃ２に面接触したところで締め込みを停止する。これにより、図９に示すように、固定部６２がケースＣに固定されて電気的に接続される。また、シールドブラケット６０がケースＣに固定されると、機器側ハウジングＭＣ１とコネクタハウジング４０とが正規嵌合して雄端子と雌端子２０とが電気的に接続され、これとほぼ同時にショート端子Ｔとインターロック端子とが接続される。
【００５３】
ところが、例えば、固定部６２においてケースＣに接触する接触面６３と同一面上に嵌合片やナット装着部が設けられている場合、固定部の接触面をケースに面接触させることができなる虞がある。
しかしながら、本実施形態によると、図３、図８および図９に示すように、被嵌合凹部８７内に嵌合される嵌合片６８の先端部が接触面６３よりも後側（筒部側）に一段後退して配され、嵌合片６８の先端部が接触面６３から後退した寸法Ｌが被嵌合凹部８７の囲壁８８の板厚寸法よりも僅かに小さく形成されている。また、ナット６５の前端部およびＣリング６７が接触面６３よりも後方に配されている。
これにより、ケースＣの貫通孔Ｃ１の開口縁部に接触面６３を確実に面接触させて固定することができ、接触面と同一面上に嵌合片やナット装着部が設けられている場合に比べて、シールドブラケット６０とケースＣとの電気的な接続信頼性を向上させることができる。
【００５４】
ところで、例えば、プロテクタにおいて、電線引出部の後方位置にプロテクタ本体部とカバー部と組み付けた状態に保持する係止片および係止枠部が電線の引出方向と同一方向に弾性変位可能に設けられていると、電線に大電流を流すために電線が大径化するなどして電線の曲げ剛性が大きくなった場合、プロテクタ内において屈曲させた電線の反力によってプロテクタ本体部やカバー部が前後方向に撓むことにより係止枠が弾性変位し、係止片と係止枠との係止が解除され、プロテクタ本体部からカバー部が外れてしまう虞がある。
【００５５】
ところが、本実施形態によると、図７に示すように、屈曲された電線Ｗの反力が働く方向（電線Ｗが引き出されたＸ方向）と略直交方向である左右方向に係止枠９４の係止突起９８が弾性変位するから、仮に電線Ｗの反力（屈曲された電線Ｗが元に戻ろうとする力）によってプロテクタ本体部８３やカバー部８４がＸ方向に多少弾性変形したとしても、係止枠９４が撓むことがない。これにより、係止片９２の係止爪９３と係止枠９４の係止突起９８との係止代が小さくなることを防ぎ、プロテクタ本体部８３からカバー部８４が外れてしまうことを抑制することができる。
【００５６】
また、電線引出部４７の後方位置(電線Ｗの引出方向に電線引出部４７と対向する位置）には、電線Ｗの反力が最も働くことになるが、この位置には、図８に示すように、プロテクタ本体部８３の後端縁とカバー本体９１の後端縁とを連結する一対のヒンジ９０が一部を除いてほぼ全幅に亘って（電線Ｗの導出方向に沿って）設けられているから、電線Ｗの反力によってプロテクタ本体部８３とカバー部８４とを互いに組み付けた後端部分が開いてプロテクタ本体部８３からカバー部８４が外れてしまうことを確実に防止することができる。
【００５７】
また、仮に電線Ｗの反力によってプロテクタ本体部８３やカバー部８４が前後方向に多少弾性変形したとしても、プロテクタ本体部８３およびカバー部８４において電線Ｗの反力を受ける後側部分とは反対側に位置するブラケット収容凹部（電線引出部４７の外側を覆う部分）８５に係止片９２と係止枠９４とが設けられているから、係止片９２および係止枠９４に電線Ｗの反力が及ぼす影響を低減させることができる。これにより、プロテクタの後端部周辺に係止片および係止枠が設けられている場合に比べて、係止片９２と係止枠９４との係止力が低下してプロテクタ本体部８３とカバー部８４とが外れてしまうことを抑制することができる。
【００５８】
また、例えば、電線引出部４７から電線Ｗを後方に突出させるスペースを大きく取ることができない場合、一対のヒンジの周辺部分に係止片および係止枠を設けると、係止片および係止枠を設けた分だけ収容部の内部空間を小さくする必要がある。そうすると、収容部内において電線がさらに屈曲されて窮屈な状態となり、電線の反力（屈曲された電線が元に戻ろうとすることで収容部が電線に押圧される力）がさらに大きくなってしまう。ところが、本実施形態によると、係止片９２および係止枠９４が電線引出部４７の外周を覆うブラケット収容凹部８５の外周面に設けられているから、電線引出部４７から電線Ｗを後方に突出させるスペースを大きく確保することができない場合にも、非常に有効である。
【００５９】
また、本実施形態によると、図８に示すように、プロテクタ本体部８３内に複数の電線Ｗを全て配置して、板状のカバー部８４によって蓋をする構成となっているから、電線Ｗの反力をプロテクタ本体部８３のみで受けることができ、例えば、一対の半割体からなるプロテクタ本体部とカバー部とを組み付ける構成に比べて、電線Ｗの反力によってプロテクタ本体部８３とカバー部８４とが互いに組み付け位置を起点に開いて外れてしまうことをさらに抑制することができる。
【００６０】
さらに、一対の半割体からなるプロテクタ本体部とカバー部とからなるプロテクタでは、プロテクタ本体部にカバー部を組み付ける際に、プロテクタ本体部とカバー部との間で電線を挟み込むなど組み付け作業の作業効率が低下する虞がある。ところが、上記の構成によると、プロテクタ本体部８３内に電線Ｗを屈曲させて配置してから、カバー部８４によってプロテクタ本体部８３を塞ぐようにして収容部８１を構成しているので、プロテクタ本体部８３とカバー部８４との間での電線Ｗの挟み込みを防ぎ、プロテクタ本体部８３に対するカバー部８４の組み付け作業を容易に行うことができる。
【００６１】
以上のように本実施形態のプロテクタ付きシールドコネクタ１０によると、図１乃至図９に示すように、シールドブラケット６０の固定部６２における嵌合片６８にプロテクタ８０の被嵌合凹部８７を嵌合させ、プロテクタ８０の収容部８１にシールドブラケット６０の筒部６１を収容することで、シールドブラケット６０にプロテクタ８０を固定することができる。ひいては、コネクタハウジング４０の電線引出部４７から引き出された電線Ｗを右方向に屈曲させて導出することができる。
【００６２】
さらに、プロテクタ８０において、プロテクタ本体部８３とカバー部８４とを組み付け状態に係止する係止枠９４の係止突起９８は電線Ｗの反力が働く方向と交差する左右方向に弾性変位可能とされているから、仮に電線Ｗの反力によってプロテクタ本体部８３やカバー部８４が前後方向に弾性変形したとしても、係止片９２の係止爪９３と係止枠９４の係止突起９８との係止代が小さくなることを防ぐことができ、プロテクタ本体部８３からカバー部８４が外れてしまうことを抑制することができる。
【００６３】
＜他の実施形態＞
本発明は上記記述及び図面によって説明した実施形態に限定されるものではなく、例えば次のような実施形態も本発明の技術的範囲に含まれる。
（１）上記実施形態では、電線引出部４７から後方に引き出された電線Ｗを右方向に屈曲させて導出させた構成としたが、本発明はこのような態様に限定されるものではなく、例えば、電線を上下方向や左方向に屈曲させて導出してもよい。
（２）上記実施形態では、係止片９２の係止爪９３と係止枠９４の係止突起９８とが干渉し、係止突起９８が弾性変位する構成としたが、本発明はこのような態様に限定されるものではなく、例えば、係止片を弾性変位可能に形成し、係止片を弾性変形させて係止片と係止枠とを係止させる構成にしてもよい。
（３）上記実施形態では、係止片９２および係止枠９４をブラケット収容凹部８５における左右の外側面に設けた構成としたが、本発明はこのような態様に限定されるものではなく、例えば、係止片および係止枠をブラケット収容凹部の上側面に設けた構成にしてもよい。
【００６４】
（４）上記実施形態では、電線引出部４７から二本の電線Ｗが後方に引き出された構成としたが、本発明はこのような態様に限定されるものではなく、例えば、電線引出部から一本や三本以上の電線が引き出された構成にしてもよい。
（５）上記実施形態では、嵌合片６８を固定部６２の外周縁に設けた構成としたが、本発明はこのような態様に限定されるものではなく、例えば、嵌合片を筒部の前端部に設けた構成にしてもよい。
（６）上記実施形態では、被嵌合凹部８７の囲壁８８と係止枠９４の短辺枠部９６とが上下方向に連なった構成としたが、本発明はこのような態様に限定されるものではなく、例えば、囲壁と短辺枠部とが前後方向に連なった構成にしてもよい。
（７）上記実施形態では、固定部６２の下側外周縁に三つの嵌合片６８が設けられた構成としたが、本発明はこのような態様に限定されるものではなく、例えば、固定部の下側外周縁に嵌合片が二つや四つ以上設けられた構成にしてもよい。
【符号の説明】
【００６５】
４０：コネクタハウジング
４７：電線引出部
８０：プロテクタ
８１：収容部
８３：プロテクタ本体部
８４：カバー部
９０：ヒンジ
９２：係止片(被係止部)
９４：係止枠(係止部）
Ｗ：電線
【図１】
2014195380.tif 000003
【図２】
2014195380.tif 000004
【図３】
2014195380.tif 000005
【図４】
2014195380.tif 000006
【図５】
2014195380.tif 000007
【図６】
2014195380.tif 000008
【図７】
2014195380.tif 000009
【図８】
2014195380.tif 000010
【図９】
2014195380.tif 000011
【図１０】
2014195380.tif 000012
【図１１】
2014195380.tif 000013
【図１２】
2014195380.tif 000014
【図１３】
2014195380.tif 000015
【図１４】
2014195380.tif 000016
【図１５】
2014195380.tif 000017
【図１６】
2014195380.tif 000018
【図１７】
2014195380.tif 000019
【図１８】
2014195380.tif 000020
【図１９】
2014195380.tif 000021
【図２０】
2014195380.tif 000022
【図２１】
2014195380.tif 000023